(57)【要約】      （修正有）【課題】歯垢除去効果を高め、なおかつ口腔内での操作性の高い安全安心な歯ブラシを目指すことを目的とした、樹脂の再利用に重点をおいた地球に優しい歯ブラシおよびその製造方法の提供。【解決手段】糸巻きボビン１に巻かれた刷毛束１ａを上下ロボット３に固定された整列用櫛４に通す。整列した刷毛束１ａを整列用櫛４で掴み上下ロボット３で上昇させる。刷毛束１ａはセンサー２により自動供給される。成形用上金型押え板１０が下降し、成形用上金型６に蓋をする。この際、正確に位置を決めるため、ガイド穴１０ａにテーパーピンをガイドとして挿入する。成形用上金型押え板１０下降完了と同時に、樹脂注入装置１１より樹脂注入穴１１ａを通し、樹脂が注入される。樹脂は、グラム制御により正確に一定量注入される。【選択図】図１
2008055123.tif 000002
【特許請求の範囲】
【請求項１】
歯ブラシにおいて、先端部分を溶着固定した刷毛の束をダイマー酸ベー熱可塑性ポリアミド樹脂で接着し、同時にブラシ台座部分を成形加工した歯ブラシ。
【請求項２】
歯ブラシにおいて、先端部分を溶着固定した刷毛の束をダイマー酸ベースの熱可塑性ポリアミド樹脂で接着し、同時に歯ブラシ柄全体を成形加工した歯ブラシ。
【請求項３】
請求項１に示す歯ブラシの製造方法。
【請求項４】
請求項２に示す歯ブラシの製造方法。
【請求項５】
片手で握り往復移動させることができる形状の柄と、その柄の先端部分に設けられる渦巻き状の円筒刷毛の歯ブラシにおいて、渦巻き状の円筒刷毛を柄に固定する方法として、ダイマー酸ベースの熱可塑性ポリアミド樹脂で接着した歯ブラシ。
【発明の詳細な説明】
【技術分野】
【０００１】  本発明は、一般家庭で利用される歯ブラシに関する。
【背景技術】
【０００２】  市販される従来の歯ブラシは、適量の刷毛を中心部分から二つに折り曲げ、歯ブラシ柄に成形された植毛穴に真鍮（銅と亜鉛の合金）または、アルミニウムの板を植毛穴直径（大半が直径１．７ｍｍ）より大きい２ｍｍくらいに切断し打ち込み、刷毛の束を固定した植毛歯ブラシが主流となっている。【０００３】  普及型の歯ブラシと同形状でありながら、植毛ではなく、適量の刷毛の束を溶着し、柄の成形金型にインサートして製造された溶着歯ブラシも少量市販されている。【０００４】  その他にも、３６０度形状で方向性のない歯ブラシやローラー状の歯ブラシ、刷毛の束を植毛する際、内側に１度〜１．３度位角度をつけ刷毛の密度を高めた歯ブラシ、刷毛の先端部分を薬品によりテーパー加工し植毛した歯ブラシ等、昨今の健康思考を反映して多種多様な製品が販売されている。
【発明の開示】
【発明者が解決しようとする課題】
【０００５】  以上述べた従来の普及型歯ブラシでは、金属（主に真鍮）を使用しているため、樹脂の再利用を考える際、刷毛をすべて抜き取り金属を取り除く作業が必要で、リサイクルが遅々として進まないのが現状である。
【０００６】  また、日本国だけで考えてみれば、歯磨きの際使用される水道水は石灰分の少ない軟水（酸性水）である。普及型歯ブラシの刷毛止めに使用される真鍮は、酸性に非常に弱く腐食しやすい。このような金属を口腔内で使用することは、安全衛生面において良好とは言えずこれを打開する必要がある。それに加え幼児等の呑み込み事故も考える必要がある。
【０００７】  少量ながら市販されだした溶着歯ブラシに対しても、その製造方法が１９９０年前後に、ヨーロッパで開発された従来の成形金型の中に適量の刷毛束をインサートし成形する方法であり、設備費の面からも圧力に対応する（従来の射出成形材料であるナイロン、ＰＢＴ，ＡＢＳ等を成形する場合、射出圧力は数百ｋｇ〜１ｔ／ｃｍ２以上必要である。）大規模なものとなり高価となる。
【０００８】  それに加え、樹脂の注入及び、乾燥に時間を要し（樹脂により乾燥に必要な時間は異なるが樹脂注入後、金型を開くまでに、最低でも１分程度必要である。）従来の植毛歯ブラシと比べ、コスト高な面が普及を遅らせていると考えられる。
【０００９】  普及型の植毛歯ブラシは、その製造方法から機構面において限界があり、刷毛の一束の中に混糸、例えば直径０．０９ｍｍと０．２０ｍｍを混合させることは不可能とされた。それは金属板で止めた際、直径の細い刷毛が抜け落ちる心配があるからである。また、２４〜３６位ある植毛穴に植毛される刷毛の太さも製造コスト面から２種類位が限度とされている。
【００１０】  他にも、金型の構造面からも制約を受け、前に述べたように、１．３度以上の角度植毛が難しく製造コスト面からも問題が多い。
【００１１】  幼児の歯磨き練習のために、前、中、後と刷毛の色を変える歯ブラシを製造する場合においても、植毛の場合、色の数だけ工程数が増え（例えば３０の植毛穴に白刷毛１０株、黄刷毛１０株、青刷毛１０株植毛する場合、全製品に対し白刷毛植毛を完成させ刷毛を交換し、黄、青と作業する。）コスト高となり普及に問題があった。
【００１２】  植毛穴においても主流は、直径１．７ｍｍ、植毛引張強度ＪＩＳ規格８Ｎ／ｃｍ２が必要であり（ＩＳＯ規格も同様）植毛穴の深さは３．５ｍｍが主流となっている。これにより、植込みブラシの台座は最低５ｍｍ位と厚くなり、口腔内での操作性が悪く傷つける事故も多数発生した。
【００１３】  本発明は、このような従来の構造が有していた問題を解決しようとするものであり、構造を全く変えることで歯垢除去効果を高め、なおかつ口腔内での操作性の高い安全安心な歯ブラシを目指すことを目的とするものである。また、小さい事ながら樹脂の再利用に重点をおいた地球に優しい歯ブラシの製造を考えた。
【課題を解決するための手段】
【００１４】  本発明の歯ブラシは、上述目的を達成するために予め、先端部分を溶着固定した刷毛の束を、離剥性を高めるためテフロン、フッソコーティングされた金型に差し込み、ダイマー酸ベースの熱可塑性ポリアミド樹脂を流し込み接着し、同時にブラシ台座部分を成形加工する。樹脂の乾燥と同時に金型を開き、刷毛のカット、先丸加工、消毒終了後に製品を自動的に取り出す。合理的かつ、衛生的なものとした。
【００１５】  この方法で、製造された歯ブラシ先端部分を従来のブラシハンドルに差し込み使用したり、インサート成形により溶着する方法等で使用もでき、電動歯ブラシの先端歯ブラシとしても使用が考えられる。
【００１６】  コストと生産量から考え、ダイマー酸ベースの熱可塑性ポリアミド樹脂により歯ブラシ柄全体を成形加工することで、一工程で歯ブラシ全体を製造することが可能となった。
【発明の効果】
【００１７】  上述したように本発明の歯ブラシは、金属（真鍮等）を使用する必要がないため、口腔内においての脱落による呑み込み事故や、腐食による衛生面の問題がなくなった。
【００１８】  従来の植毛歯ブラシにおいては、植込み穴の深さを３．５ｍｍ以上にする必要が引張強度工業規格の面からあり、５ｍｍ前後のブラシ台座の寸法が最低でも必要とされた。よってブラシ部分をコンパクトにすることが構造上できず、口腔内における操作性の悪さや、事故、最後臼歯奥面に対するブラッシングに問題があった。その問題に対し本発明の溶着歯ブラシでは、ブラシ台座部分の寸法をおさえ、ブラシ丈を確保し、かつブラシ部分をコンパクトにでき、問題を解消することができた。
【００１９】  金属（真鍮等）を使用せず、ダイマー酸ベースの熱可塑性ポリアミド樹脂にすることで刷毛の樹脂成分と化学的に同成分となり、再利用が容易にできるようになった。
【００２０】  歯ブラシの構造の面から考えても、刷毛の束に角度をつけることが容易にでき、角度も従来の１．３度位が限界（金型構造上）に対し５度位の角度は容易につけることができる。
【００２１】  また、刷毛一束の中に直径の異なる２種類以上の糸を混合することが可能となり、従来の普及型の歯ブラシと比べ歯垢除去効果の高い製品となった。その理由を簡単に説明すると、太い糸が歯間の歯垢除去に対し効果的であり、細い密集糸が歯肉のマッサージ及び、テーパー毛が歯垢除去するとＰＲされている歯周ポケット等極少空間の歯垢除去に効果的である。
【００２２】  それに加え、従来の普及型の歯ブラシでは、植毛コストの関係からできなかった一束ごとに色の変化をつけることが容易にでき、幼児に歯磨きを正確に指導する面からも必要性が高い。
【００２３】  一束の刷毛の量を自由に調整することができ、従来の歯ブラシと異なり、一株の形状、大きさを変えることができる。よって密度の極めて高い歯ブラシや密度の低い歯ブラシを簡単に製造することができる。
【００２４】  上述した発明の効果のように、製造コストを抑えながら、歯垢除去能力に優れた歯ブラシを製造することができた。また、資源再利用の面からも優れており、簡単にリサイクルできるようになった。
【００２５】  上述したダイマー酸ベースの熱可塑性ポリアミド樹脂は、当発明者が平成１７年１１月１０日特許出願した、渦巻きブラシとその製造方法（２００５−３５５３８５）における渦巻きブラシ単体と柄の接着にも優れており、低コストで完全な接着が可能となった。
【発明を実施するための最良の形態】
【００２６】  以下、本発明の実施の形態を図１〜１２に基づいて説明する。【００２７】  図において、図１は本発明を実施するために使用する装置の全体図である。【００２８】  最初に、糸巻きボビン１に巻かれた刷毛束１ａを上下ロボット３に固定された整列用櫛４に通す。整列した刷毛束１ａを整列用櫛４で掴み上下ロボット３で上昇させる。刷毛束１ａはセンサー２により自動供給される。（図１〜３）【００２９】  刷毛束１ａは、整列用櫛４上部にある下金型５中に恒に位置し、上下ロボット３上昇により成形用上金型６中に差し込まれる。この際、下金型５と成形用上金型６の穴位置が恒に一直線上に位置するよう、テーパーガイドピン等を利用し正確な位置決めをする。４ａは整列用櫛下降点、５ａは下金型下降点を示す。（図４，５）【００３０】  成形金型６に差し込まれた刷毛束１ａを次に、ヒーター７によって溶着する。刷毛束１ａが差し込まれるとヒーター７は、ヒーター下降点７ａまで下降し、溶着を開始する。溶着方法は、刷毛束１ａに色をつけない点から考え、エアー熱による方法が最適と考えられるが他の方法でも簡単に溶着できる。（図６、７）【００３１】  溶着が完了すると同時に刷毛丈に合わせ、刷毛カット装置８によりカットされる。カットされた刷毛部分は、コンベアー９により次の工程に送られる。（溶着の際、刷毛束１ａの先端部分が球形状に拡大するため成形用上金型６から刷毛束１ａの脱落は起こらない。）【００３２】  次に、成形用上金型押え板１０が下降し、成形用上金型６に蓋をする。この際、正確に位置を決めるため、ガイド穴１０ａにテーパーピンをガイドとして挿入する。【００３３】  成形用上金型押え板１０下降完了と同時に、樹脂注入装置１１より樹脂注入穴１１ａを通し、樹脂が注入される。樹脂は、グラム制御により正確に一定量注入される。（図８）【００３４】  前記したように、ダイマー酸ベースの熱可塑性ポリアミド樹脂は、従来使用されるナイロン、ＰＢＴ、ＡＢＳ等と異なり、低圧（３０〜５０ｋｇ／ｃｍ２）で成形することが可能であり、金型や製造設備を小型化することができる。よって設備コストも低く抑えることができ、また、成形性も高く、成形効率も高い。【００３５】  成形樹脂の乾燥が終了すると、成形品取り出し装置１２により歯ブラシが取り出される。この方法は、従来の金型取り出し方法のように、歯ブラシ柄部分の２〜３箇所をピンで押す構造が普通である。【００３６】  電動歯ブラシや取替え型歯ブラシの場合は、台座部成形品１３を使用し、一般使用品としては全体成形品１４とする。（図９，１０）【００３７】  また、このダイマー酸ベースの熱可塑性ポリアミド樹脂は、接着性に優れている点から、渦巻き型の円筒ブラシの接着にも有効である。１５は渦巻きブラシ、１６は樹脂注入装置（渦巻きブラシ用）、１７は渦巻きブラシハンドル、１８は完成した渦巻き歯ブラシを示す。【００３８】  次に、ダイマー酸ベースの熱可塑性ポリアミド樹脂の代表的化学構造を示す。
2008055123.tif 000003
【００３９】  上記樹脂は、食品衛生法、食品、添加物等の規格基準に（昭和３４年厚生省告示第３７０号）テストの結果適合した。発行日平成１８年５月１０日証明書を参考のため添付する。【００４０】  ダイマー酸ベースの熱可塑性ポリアミド樹脂は、樹脂以外にも金属に対する接着性にも優れている。よって、工業用に使用される各種ブラシにおいても多方面に利用可能である。これにより、工業用ブラシ界においても、低コスト、リサイクルブラシの製造が容易となり、発展も考えられる。現時点で、ナイロン、アルミニウム等の実験結果は良好といえる。
【図面の簡単な説明】
【００４１】
【図１】本発明の歯ブラシ製造方法を示す全体図である。
【図２】刷毛束を巻き取った刷毛供給装置正面図である。
【図３】刷毛束を正確に上昇させる刷毛上下装置斜指図である。
【図４】刷毛束を正確に成形金型に送り込む刷毛送り用下金型装置斜指図である。
【図５】刷毛束を成形金型に差し込んだ成形金型装置斜指図である。
【図６】刷毛束先端を溶着固定する溶着装置斜指図である。
【図７】刷毛束溶着完了斜指図である。
【図８】樹脂供給装置斜指図である。
【図９】台座部成形品斜指図である。
【図１０】全体成形品斜指図である。
【図１１】渦巻き歯ブラシ溶着装置正面図である。
【図１２】渦巻き歯ブラシ溶着完成斜指図である。
【符号の説明】
【００４２】１      糸巻きボビン
１ａ    刷毛束
２      センサー
３      上下ロボット
４      整列用櫛
４ａ    整列用櫛下降点
５      下金型
５ａ    下金型下降点
６      成形用上金型
７      ヒーター
７ａ    ヒーター下降点
７ｂ    刷毛束溶着完了形状
８      刷毛カット装置
９      コンベアー
１０    成形用上金型押え板
１０ａ  ガイド穴
１１    樹脂注入装置
１１ａ  樹脂注入穴
１２    成形品取り出し装置
１３    台座部成形品
１４    全体成形品
１５    渦巻きブラシ
１６    樹脂注入装置（渦巻きブラシ用）
１７    渦巻きブラシハンドル
１８    渦巻き歯ブラシ
【図１】
2008055123.tif 000004
【図２】
2008055123.tif 000005
【図３】
2008055123.tif 000006
【図４】
2008055123.tif 000007
【図５】
2008055123.tif 000008
【図６】
2008055123.tif 000009
【図７】
2008055123.tif 000010
【図８】
2008055123.tif 000011
【図９】
2008055123.tif 000012
【図１０】
2008055123.tif 000013
【図１１】
2008055123.tif 000014
【図１２】
2008055123.tif 000015